(57)【特許請求の範囲】
【請求項１】
偏波関係が既知である任意の２波長のデータ信号光と、偏波関係が未知である１波長以上のデータ信号光と、を含む波長多重データ信号光が伝送される光伝送路から当該波長多重データ信号光の出力の一部を取り出す測定光取得手段と、
前記測定光取得手段の出力光から、前記偏波関係が既知である２波長のデータ信号光を抽出する第１波長選択手段と、
前記第１波長選択手段の出力光を受け、前記偏波関係が既知である２波長のデータ信号光の信号光強度を検出する第１光強度検出手段と、
前記測定光取得手段の出力光のうち所定の偏光成分を通過させる偏光子と、
前記偏光子の出力光から、前記偏波関係が既知である２波長のデータ信号光を抽出する第２波長選択手段と、
前記第２波長選択手段の出力光を受け、前記偏波関係が既知である２波長のデータ信号光の信号光強度を検出する第２光強度検出手段と、
を備え、
前記第１光強度検出手段および前記第２光強度検出手段の検出結果に基づいて前記波長多重データ信号光の各波長帯におけるＰＭＤ量を検出することを特徴とするＰＭＤ検出器。
【請求項２】
前記第１波長選択手段および第２波長選択手段は、波長可変の選択手段であることを特徴とする請求項１に記載のＰＭＤ検出器。
【請求項３】
前記偏光子に代えて、偏波ビームスプリッタが用いられることを特徴とする請求項１または２に記載のＰＭＤ検出器。
【請求項４】
偏波関係が既知である任意の２波長のデータ信号光と、偏波関係が未知である１波長以上のデータ信号光と、を含む波長多重データ信号光を伝送する波長多重光伝送システムにおいて、
前記波長多重データ信号光が伝送される光伝送路から当該波長多重データ信号光の出力の一部を取り出し、当該波長多重データ信号光の各波長帯におけるＰＭＤ量を検出する請求項１〜３のいずれか一つに記載のＰＭＤ検出器と、
前記ＰＭＤ検出器における前記測定光取得手段の出力光についてＰＭＤ補償操作を行うように配置される第１ＰＭＤ補償手段と、
前記光伝送路を伝送される前記波長多重データ信号光についてＰＭＤ補償操作を行うように配置される第２ＰＭＤ補償手段と、
前記ＰＭＤ検出器において検出された信号光強度から解析されるＰＭＤが最小となるように前記第１ＰＭＤ補償手段を制御し、ＰＭＤを最小にする前記第１ＰＭＤ補償手段の条件を前記第２ＰＭＤ補償手段に与える制御手段と、
を備えたことを特徴とする波長多重光伝送システム。
【発明の詳細な説明】
【０００１】
【発明の属する技術分野】
この発明は、超高速光伝送を行う波長多重光伝送システムにおいて伝送信号の品質を劣化させる偏波モード分散特性を検出するＰＭＤ検出器、およびＰＭＤ補償機能を有した波長多重光伝送システムに関するものである。
【０００２】
【従来の技術】
異なる屈折率をもつ物質中を光が進むときには、屈折率の大小によって、物質中における光の伝搬速度が異なる。また、入射光の偏波方向によって屈折率の異なる材料（異方性材料）中における光の伝搬では、材料中における偏波の状態に応じ、材料通過後の遅延時間が異なるという現象を生じさせる。ここで、材料中における各固有偏波方向に偏光した光に生じる遅延時間差を偏波モード分散（以下、「ＰＭＤ」（Polarization Mode Dispersion）という）と呼ぶ。
【０００３】
一般に、光伝送路で用いられるシングルモードファイバは、その長手方向に沿って局所的にわずかな異方性が生じている。したがって、このような異方性を有するファイバ中を光が伝搬すると、この伝搬経路中に存在する屈折率異方性が生じている箇所において、光信号が有する偏波方向に依存した遅延差が生じる。この偏波の違いによる遅延差が光伝送路内で蓄積されると、受信端における信号波形の劣化を引き起こすことになる。
【０００４】
図６は、パルス幅がパルス間隔に等しいＮＲＺ（Non-Return to Zero）信号の光伝送における１ｄＢペナルティを引き起こす光伝送路のＰＭＤの大きさと光伝送速度（ビットレート）との関係を示す図である。この図６に示す関係は、文献「偏波モード分散における光システムのフェージング "Fading in lightwave systems due to polarization-mode dispersion"」( C. D. Poole, R. W. Tkach, A. R. Chraplyvy and D. A. Fishman著、 IEEE Photonics Technol. Lett. vol.3, no.1, pp.68−70, 1991）に記載された関係式を基に作成したものである。
【０００５】
すなわち、上記文献には、パワーペナルティが１ｄＢ劣化する時のＰＭＤの大きさΔτと、ＮＲＺ信号のパルス幅T（Ｔ＝１／Ｂ：Ｂはビットレート）との関係を、次式（１）として示している。すなわちΔτ／T〜０．４  ・・・（１）と示されている。この式（１）を基に、パワーペナルティが１ｄＢ劣化する時のＰＭＤの大きさΔτと、ＮＲＺ信号のビットレートＢとの関係を求めると、図６に示す結果となる。例えば、４０Ｇｂｉｔ／ｓのＮＲＺ信号を伝送する場合には、伝送路の持つＰＭＤを１０ｐｓ以下に抑えなければならないことが分かる。
【０００６】
一方、現実の伝送路では、低ＰＭＤファイバであっても、平均０．１ｐｓ／√km程度のＰＭＤが存在する。このことは、１００００km伝送後に１０ｐｓのＰＭＤが生じることを表している。さらに伝送路内におけるＰＭＤは、その大きさが時間的に変動するという特性がある。したがって、光ファイバを敷設したのち、ＰＭＤの時間的な変動に応じたＰＭＤ補償を行う必要がある。
【０００７】
時間変動に応じてＰＭＤ補償を行う場合、時間変動に追従した精度の高いＰＭＤ検出法が必要とされる。また、伝送システムへの実装を考えた場合には、ＰＭＤ検出器の小型化が求められる。
【０００８】
時間変動に追随し、高精度の測定が可能なＰＭＤ検出法としては、例えば、特開平５−２７３０８２号公報（光装置の偏光モード分散判定装置および方法）に開示されているジョーンズマトリクス（Jones Matrix）法が最も知られている。このJones Matirix法では、少数の波長に対する偏光解析結果から計算によりＰＭＤの大きさを求めるために、高速で、高精度なＰＭＤ検出が可能である。さらに、ＰＭＤ検出を演算によって行うため、ＰＭＤ検出器の小型化に適している。
【０００９】
また、その他の偏光解析を基にＰＭＤを検出する手段としては、ポアンカレ球法、ＳＯＰ法、ＦＡ（固定アナライザ）法が知られている。ポアンカレ球法とＳＯＰ法は、各波長での偏光解析結果を基にＰＭＤを算出するため、波長多重光の各チャネル信号を用いてＰＭＤ検出を行う目的に適した方法である。
【００１０】
一方、ＦＡ法は、波長可変光源を用いて波長特性からＰＭＤ解析する手法である。図７は、ＦＡ法によるＰＭＤ検出方式を説明するための図である。これは、波長多重(Wavelength Division Multiplexing：ＷＤＭ)光伝送システムにおける従来のＰＭＤ補償方式の一例を示している。
【００１１】
図７において、送信側は、波長可変光源４１と偏光子４２とを備えている。受信側は、偏光子４３と光パワーメータ４４とを備えている。偏光子４２と偏光子４３の間は、光伝送路４５で接続されている。
【００１２】
送信側では、波長可変光源４１が、各種波長の信号光を所定の掃引周期で発生し、偏光子４２に出力する。偏光子４２は、波長可変光源４１から送られてくる信号光に既知の偏波状態を付与して光伝送路４５に送出する。受信側では、光伝送路４５から入力される信号光が偏光子４３を介して光パワーメータ４４に入力される。光パワーメータ４４では、光伝送路４５から入力される信号光の光強度の波長特性が偏光子４３を通して観測される。観測された波長特性を解析することによってＰＭＤ量を近似的に算出している。このように図７に示したＦＡ法では、光伝送路中のＰＭＤ量を検出することが可能である。
【００１３】
【発明が解決しようとする課題】
しかし、従来のＦＡ法では、可変光源により被測定光の遅延量の波長特性を測定することにより、ＰＭＤ量を算出するため、他の信号光が存在する実運用状態においては、ＰＭＤ量の時間変動を検出することが困難である。
【００１４】
この発明は上記に鑑みてなされたもので、光伝送路中におけるＰＭＤ量の時間変動が検出でき、かつ小型化が可能なＰＭＤ検出器、および前記ＰＭＤ検出器を利用してＰＭＤ補償が行える波長多重光伝送システムを得ることを目的とする。
【００１５】
【課題を解決するための手段】
上記目的を達成するために、この発明にかかるＰＭＤ検出器は、偏波関係が既知である任意の２波長のデータ信号光を含む波長多重データ信号光が伝送される光伝送路から一部の波長多重データ信号光を取り出す測定光取得手段と、前記測定光取得手段の出力光から前記２波長のデータ信号光のそれぞれを抽出する第１波長選択手段と、前記第１波長選択手段の出力光を受けて前記２波長のデータ信号光それぞれの信号光強度を検出する第１光強度検出手段と、前記測定光取得手段の出力光のうち所定の偏光成分を通過させる偏光子と、前記偏光子の出力光から前記２波長のデータ信号光のそれぞれを抽出する第２波長選択手段と、前記第２波長選択手段の出力光を受けて前記２波長のデータ信号光それぞれの信号光強度を検出する第２光強度検出手段とを備えたことを特徴とする。
【００１６】
この発明によれば、測定光取得手段にて、偏波関係が既知である任意の２波長のデータ信号光を含む波長多重データ信号光が伝送される光伝送路から一部の波長多重データ信号光が取り出される。第１波長選択手段にて、測定光取得手段の出力光から前記２波長のデータ信号光のそれぞれが抽出されると、第１光強度検出手段にて、その抽出された前記２波長のデータ信号光それぞれの信号光強度が検出される。一方、偏光子にて、前記測定光取得手段の出力光から所定の偏光成分が抽出されると、第２波長選択手段にて、偏光子の出力光から前記２波長のデータ信号光のそれぞれが抽出され、第２光強度検出手段にて、所定の偏光状態における前記２波長のデータ信号光それぞれの信号光強度が検出される。
【００１７】
つぎの発明にかかるＰＭＤ検出器は、上記の発明において、前記第１波長選択手段および第２波長選択手段は、波長可変の選択手段であることを特徴とする。
【００１８】
この発明によれば、第１波長選択手段および第２波長選択手段には、波長可変の選択手段が用いられる。
【００１９】
つぎの発明にかかるＰＭＤ検出器は、偏波関係が既知である任意の２波長のデータ信号光を含む波長多重データ信号光が伝送される光伝送路から一部の波長多重データ信号光を取り出す測定光取得手段と、前記測定光取得手段の出力光のうち所定の偏光成分を通過させる偏光子と、前記偏光子の出力光から前記２波長のデータ信号光を含む前記波長多重データ信号光それぞれの信号光強度を検出する光強度検出手段とを備えたことを特徴とする。
【００２０】
この発明によれば、測定光取得手段にて、偏波関係が既知である任意の２波長のデータ信号光を含む波長多重データ信号光が伝送される光伝送路から一部の波長多重データ信号光を取り出されると、偏光子にて、測定光取得手段の出力光から所定の偏光成分が抽出され、光強度検出手段にて、偏光子の出力光から前記２波長のデータ信号光を含む前記波長多重データ信号光それぞれの信号光強度が検出される。
【００２１】
つぎの発明にかかるＰＭＤ検出器は、前記偏光子に代えて、偏波ビームスプリッタが用いられることを特徴とする。
【００２２】
この発明によれば、偏光子に代えて、偏波ビームスプリッタが用いられる。偏波ビームスプリッタでは、入力される波長多重データ信号光がそれぞれ直交関係にある偏波成分に分離され、光強度の検出が行われる。
【００２３】
つぎの発明にかかる波長多重光伝送システムは、偏波関係が既知である任意の２波長のデータ信号光を含む波長多重データ信号光を伝送する波長多重光伝送システムにおいて、前記波長多重データ信号光が伝送される光伝送路から一部の波長多重データ信号光を取り出し、少なくとも前記２波長のデータ信号光の信号光強度を検出する請求項１〜４のいずれか一つに記載のＰＭＤ検出器と、前記ＰＭＤ検出器における前記測定光取得手段の出力光についてＰＭＤ補償操作を行うように配置される第１ＰＭＤ補償手段と、前記光伝送路を伝送される前記波長多重データ信号光についてＰＭＤ補償操作を行うように配置される第２ＰＭＤ補償手段と、前記ＰＭＤ検出器において検出された信号光強度から解析されるＰＭＤが最小となるように前記第１ＰＭＤ補償手段を制御し、ＰＭＤを最小にする前記第１ＰＭＤ補償手段の条件を前記第２ＰＭＤ補償手段に与える制御手段とを備えたことを特徴とする。
【００２４】
この発明よれば、第１ＰＭＤ補償手段は、ＰＭＤ検出器内において測定光取得手段の出力光についてＰＭＤ補償操作を行うように配置され、第２ＰＭＤ補償手段は、光伝送路上の波長多重データ信号光についてＰＭＤ補償操作を行うように配置される。制御手段にて、ＰＭＤ検出器において検出された信号光強度から解析されるＰＭＤが最小となるように第１ＰＭＤ補償手段が制御され、ＰＭＤを最小にする第１ＰＭＤ補償手段の条件が第２ＰＭＤ補償手段に与えられる。
【００２５】
【発明の実施の形態】
以下に添付図面を参照して、この発明にかかるＰＭＤ検出器および波長多重光伝送システムの好適な実施の形態を詳細に説明する。
【００２６】
実施の形態１．
図１は、この発明の実施の形態１であるＰＭＤ検出器の構成を示すブロック図である。図１において、光伝送路１０には、偏波関係が既知である２波長（λｎ、λｍ）を含む波長多重データ信号光（λ１…λｍ…λｎ…λｚ）が伝送されている。
【００２７】
図１に示すＰＭＤ検出器は、光伝送路１０から波長多重データ信号光の一部を取り出す光タップ１１と、光タップ１１の出力光を２分岐する光分波器１２と、光分波器１２の一方の分岐光をさらに２分岐する光分波器１３と、光分波器１３の各分岐光を受けて特定波長（λｍ、λｎ）のデータ信号光を抽出する光フィルタ１４，１５と、光フィルタ１４，１５の出力光を電気変換するフォトダイオード（以下「ＰＤ」という）１６，１７と、光分波器１２の他方の分岐光から特定の偏波を有する波長多重データ信号光を取り出す偏光子１８と、偏光子１８の出力光を２分岐する光分波器１９と、光分波器１９の各分岐光を受けて特定波長（λｍ，λｎ）の信号光を抽出する光フィルタ２０，２１と、光フィルタ２０，２１の出力光を電気変換するＰＤ２２，２３とを備えている。
【００２８】
次に、このように構成されるＰＭＤ検出器の動作について説明する。光伝送路１０には、偏波関係が既知である２波長（λｎ、λｍ）のデータ信号光が含まれている波長多重データ信号光（λ１…λｍ…λｎ…λｚ）が伝送されている。光タップ１１が光伝送路１０から取り出す波長多重データ信号光（λ１…λｍ…λｎ…λｚ）は、光分波器１２で２分岐され、光分波器１３と偏光子１８とに入力される。
【００２９】
光分波器１３の一方の分岐光を受ける光フィルタ１４では、その分岐光から波長λｍのデータ信号光が抽出される。その結果、ＰＤ１６から波長λｍのデータ信号光の強度検出信号が出力される。同様に、光分波器１３の他方の分岐光を受ける光フィルタ１５では、その分岐光から波長λｎのデータ信号光が抽出される。その結果、ＰＤ１７から波長λｎのデータ信号光の強度検出信号が出力される。
【００３０】
また、偏光子１８では、光分波器１２から入力される分岐光から特定の偏波を有する波長多重データ信号光が取り出され、光分波器１９に出力される。光分波器１９の一方の分岐光を受ける光フィルタ２０では、その分岐光から波長λｍのデータ信号光が抽出される。その結果、ＰＤ２２から波長λｍのデータ信号光の強度検出信号が出力される。同様に、光分波器１９の他方の分岐光を受ける光フィルタ２１では、その分岐光から波長λｎのデータ信号光が抽出される。その結果、ＰＤ２３から波長λｎのデータ信号光の強度検出信号が出力される。
【００３１】
次いで、ＰＤ１６，１７，２２，２３の出力を受ける図示しない検出処理部では、偏光子１８が介在しない場合のＰＤ１６，１７で検出された波長λｍ，λｎの信号光強度と、偏光子１８が介在する場合のＰＤ２２，２３で検出された波長λｍ，λｎの信号光強度との関係から、光伝送路１０入力時の偏波関係に対して出力時の偏波関係が算出され、光伝送路１０におけるＰＭＤ量の時間変動が解析される。
【００３２】
したがって、実施の形態１によれば、波長を特定してＰＭＤを検出できるので、ＷＤＭ光伝送システムにおいて、ＰＭＤ量の時間変動を追随して検出できるようになる。また、複数波長の偏波関係を測定することによって全波長帯にわたるＰＭＤ量を検出することが可能であるため、ＰＭＤ検出器の小型化も図れる。
【００３３】
実施の形態２．
図２は、この発明の実施の形態２であるＰＭＤ検出器の構成を示すブロック図である。この実施の形態２では、図２に示すように、図１に示した構成において、光フィルタ１４，１５，２０，２１に代えて、中心波長を可変できる可変光フィルタ２４〜２７が設けられている。その他は、図１に示した構成と同様である。ここでは、この実施の形態２に関わる部分を中心に説明する。
【００３４】
光フィルタを可変とすることで２波長以上のデータ信号光に対して偏光子が介在する場合と介在しない場合との光強度を検出することができるので、より高精度なＰＭＤ検出を行うことが可能となる。
【００３５】
したがって、実施の形態２によれば、波長を特定してＰＭＤを検出できるので、ＷＤＭ光伝送システムにおいて、ＰＭＤ量の時間変動を追随して検出できるようになる。また、複数波長の偏波関係を測定することによって全波長帯にわたるＰＭＤ量を検出することが可能であるため、ＰＭＤ検出器の小型化も図れる。さらに、２波以上の信号光からＰＭＤ量を解析することが可能であり、より高精度にＰＭＤ量を検出することが可能となる。
【００３６】
実施の形態３．
図３は、この発明の実施の形態１であるＰＭＤ検出器の構成を示すブロック図である。図３において、光伝送路１０には、偏波関係が既知である２波長（λｎ，λｍ）を含む波長多重データ信号光（λ１…λｍ…λｎ…λｚ）が伝送されている。
【００３７】
図３に示すＰＭＤ検出器は、光伝送路１０から波長多重データ信号光（λ１…λｍ…λｎ…λｚ）の一部を取り出す光タップ１１と、光タップ１１の出力光を受ける偏光子１８と、偏光子１８の出力光を受けて波長多重データ信号光（λ１…λｍ…λｎ…λｚ）の各データ信号の光強度を同時にそれぞれ検出する光スペクトルアナライザ２８とを備えている。
【００３８】
次に、このように構成されるＰＭＤ検出器の動作について説明する。光伝送路１０には、偏波関係が既知である２波長（λｎ，λｍ）のデータ信号光が含まれている波長多重データ信号光（λ１…λｍ…λｎ…λｚ）が伝送されている。
【００３９】
光タップ１１が光伝送路１０から取り出す波長多重データ信号光（λ１…λｍ…λｎ…λｚ）は、偏光子１８を介して光スペクトルアナライザ２８に入力される。光スペクトルアナライザ２８では、波長多重データ信号光（λ１…λｍ…λｎ…λｚ）の光強度を同時にそれぞれ検出される。
【００４０】
そして、光スペクトルアナライザ２８の出力を受ける図示しない検出処理部では、光スペクトルアナライザ２８にて検出された偏光子後の各信号光強度の関係から、光伝送路１０入力時の偏波関係に対して出力時の偏波関係が算出され、光伝送路１０におけるＰＭＤ量の時間変動が解析される。
【００４１】
したがって、実施の形態３によれば、波長を特定してＰＭＤを検出できるので、ＷＤＭ光伝送システムにおいて、ＰＭＤ量の時間変動を追随して検出できるようになる。また、複数波長の偏波関係を測定することによって全波長帯にわたるＰＭＤ量を検出することが可能であるため、ＰＭＤ検出器の小型化も図れる。さらに、全波長帯にわたってＰＭＤ量の解析を行うことが可能であるので、より高精度にＰＭＤ量を検出することが可能となる。
【００４２】
実施の形態４．
図４は、この発明の実施の形態４であるＰＭＤ検出器の構成を示すブロック図である。この実施の形態４では、図４に示すように、図１に示した構成において、偏光子１８と光分波器１９に代えて、偏波ビームスプリッタ２９が設けられている。その他は、図１に示した構成と同様である。ここでは、この実施の形態４に関わる部分を中心に説明する。
【００４３】
図４において、偏波ビームスプリッタ２９は、光分波器１２から入力される波長多重光をそれぞれ直交関係である偏波成分に分離する。したがって、光フィルタ２０，２１およびＰＤ２２，２３では、実施の形態１と同様に光強度を検出することができ、実施の形態１と同様の効果を得ることができる。
【００４４】
したがって、実施の形態４によれば、波長を特定してＰＭＤを検出できるので、ＷＤＭ光伝送システムにおいて、ＦＡ法を用いてＰＭＤ量の時間変動を追随して検出できるようになる。また、ＦＡ法を用いて可変長光源を掃引することによって全波長帯にわたるＰＭＤ量を検出することが可能であるため、ＰＭＤ検出器の小型化も図れる。なお、実施の形態３（図３）における偏光子１８も、同様に偏波ビームスプリッタに置き換えることが可能である。
【００４５】
実施の形態５．
図５は、この発明の実施の形態５であるＰＭＤ補償機能を有する波長多重光伝送システムの構成を示すブロック図である。図５に示すように、この波長多重光伝送システムでは、図１に示した構成において、光タップ１１の出力端と光分波器１２の入力端との間に、ＰＭＤ補償光回路３４が設けられ、光伝送路１０上にＰＭＤ補償光回路３５が設けられ、これらＰＭＤ補償光回路３４、３５を電気的に制御する制御回路３６が設けられている。制御回路３６には、ＰＤ１６，１７、２２，２３から検出された強度信号が入力されている。
【００４６】
次に、このように構成されるＰＭＤ補償機能を有する波長多重光伝送システムにおけるＰＭＤ補償動作について説明する。光伝送路１０には、偏波関係が既知である２波長（λｎ，λｍ）のデータ信号光が含まれている波長多重データ信号光（λ１…λｍ…λｎ…λｚ）が伝送されている。
【００４７】
光タップ１１が光伝送路１０から取り出す波長多重データ信号光（λ１…λｍ…λｎ…λｚ）は、ＰＭＤ補償光回路３４を経て光分波器１２へと導かれる。制御回路３６は、ＰＤ１６，１７、２２，２３からの強度信号に基づき、波長λｍと波長λｎのデータ信号光についてＰＭＤ量を解析し、そのＰＭＤ量が最小となるように、ＰＭＤ補償光回路３４を制御する。
【００４８】
次いで、制御回路３６は、制御の結果得られたＰＭＤ量を最小にするＰＭＤ補償光回路３４の条件をＰＭＤ補償光回路３５に適用する。これによって、光伝送路１０中のＰＭＤを補償することが可能となる。
【００４９】
このように、実施の形態５によれば、ＰＭＤ検出器とＰＭＤ補償光回路および制御回路を組み合わせることによって光伝送路１０中のＰＭＤを補償することができる。したがって、ＷＤＭ光伝送システムにおいて、ＰＭＤ量の時間変動を追随して検出し、補償することが可能となる。
【００５０】
なお、実施の形態５では、実施の形態１におけるＰＭＤ検出器の構成を用いたが、実施の形態２〜４におけるＰＭＤ検出器の構成も同様に用いることができることは言うまでもない。
【００５１】
【発明の効果】
以上説明したように、この発明によれば、測定光取得手段にて、偏波関係が既知である任意の２波長のデータ信号光を含む波長多重データ信号光が伝送される光伝送路から一部の波長多重データ信号光が取り出される。第１波長選択手段にて、測定光取得手段の出力光から前記２波長のデータ信号光のそれぞれが抽出されると、第１光強度検出手段にて、その抽出された前記２波長のデータ信号光それぞれの信号光強度が検出される。一方、偏光子にて、前記測定光取得手段の出力光から所定の偏光成分が抽出されると、第２波長選択手段にて、偏光子の出力光から前記２波長のデータ信号光のそれぞれが抽出され、第２光強度検出手段にて、所定の偏光状態における前記２波長のデータ信号光それぞれの信号光強度が検出される。したがって、偏光子が介在しない状態と偏光子が介在した状態とで得られた信号光強度に基づき、光伝送路におけるＰＭＤ量の時間変動を解析し、検出することができる。これは、全波長域に渡って適用でき、時間変動に追従したＰＭＤ量の検出が行えるようになる。その結果、ＰＭＤ検出器の小型化が実現できる。
【００５２】
つぎの発明によれば、上記の発明において、第１波長選択手段および第２波長選択手段には、波長可変の選択手段が用いられる。したがって、偏光子が介在する場合と介在しない場合での信号光強度を、２波長以上の信号光から求めることができるので、より高精度にＰＭＤの検出が行えるようになる。
【００５３】
つぎの発明によれば、測定光取得手段にて、偏波関係が既知である任意の２波長のデータ信号光を含む波長多重データ信号光が伝送される光伝送路から一部の波長多重データ信号光を取り出されると、偏光子にて、測定光取得手段の出力光から所定の偏光成分が抽出され、光強度検出手段にて、偏光子の出力光から前記２波長のデータ信号光を含む前記波長多重データ信号光それぞれの信号光強度が検出される。その結果、全波長域について偏光子が介在する場合の信号光強度を求めることができるので、より一層高精度なＰＭＤ検出が行える。
【００５４】
つぎの発明によれば、偏光子に代えて、偏波ビームスプリッタを用いることができる。偏波ビームスプリッタでは、入力される波長多重データ信号光がそれぞれ直交関係にある偏波成分に分離され、光強度の検出が行われる。したがって、上記の発明と同様の効果が得られる。
【００５５】
つぎの発明よれば、第１ＰＭＤ補償手段は、ＰＭＤ検出器内において測定光取得手段の出力光についてＰＭＤ補償操作を行うように配置され、第２ＰＭＤ補償手段は、光伝送路上の波長多重データ信号光についてＰＭＤ補償操作を行うように配置される。制御手段にて、ＰＭＤ検出器において検出された信号光強度から解析されるＰＭＤが最小となるように第１ＰＭＤ補償手段が制御され、ＰＭＤを最小にする第１ＰＭＤ補償手段の条件が第２ＰＭＤ補償手段に与えられる。したがって、ＰＭＤの検出と補償が行える波長多重光伝送システムが構築できるようになる。
【図面の簡単な説明】
【図１】  この発明の実施の形態１であるＰＭＤ検出器の構成を示すブロック図である。
【図２】  この発明の実施の形態２であるＰＭＤ検出器の構成を示すブロック図である。
【図３】  この発明の実施の形態３であるＰＭＤ検出器の構成を示すブロック図である。
【図４】  この発明の実施の形態４であるＰＭＤ検出器の構成を示すブロック図である。
【図５】  この発明の実施の形態５であるＰＭＤ補償機能を有する波長多重伝送光システムの構成図である。
【図６】  光信号のビットレートと１ｄＢパワーペナルティを起こすＰＭＤとの関係を示す図である。
【図７】  従来のＦＡ法によるＰＭＤ検出方式を説明するための図である。
【符号の説明】
１０  光伝送路、１１  光タップ、１２，１３，１９  光分波器、１４，１５，２０，２１  光フィルタ、１６，１７，２２，２３  フォトダイオード（ＰＤ）、１８  偏光子、２４，２５，２６，２７  可変光フィルタ、２８  光スペクトルアナライザ、２９  偏波ビームスプリッタ、３４，３５  ＰＭＤ補償光回路、３６  制御回路。
【図１】
0004447192.tif 000002
【図２】
0004447192.tif 000003
【図３】
0004447192.tif 000004
【図４】
0004447192.tif 000005
【図５】
0004447192.tif 000006
【図６】
0004447192.tif 000007
【図７】
0004447192.tif 000008